(57)【特許請求の範囲】
【請求項１】
相互に間隔を空けて配設された複数の床根太と、
前記床根太の上面に固定された床面材と、
前記床根太に対して間隔を空けて配置された支持部材と、
前記支持部材に固定された天井下地部材と、
前記天井下地部材に固定された天井面材と、を備え、
前記天井下地部材は、
固定部材を介して前記支持部材に固定された第一固定板部と、
固定部材を介して前記天井面材が固定された第二固定板部と、
弾性変形可能であって、前記第一固定板部と前記第二固定板部とを連結する連結部と、
前記第二固定板部の他端側から前記支持部材側に立ち上がる立上り部と、を有し、
前記床根太と前記天井下地部材との間及び前記床根太と前記天井面材との間に隙間が形成され、
前記支持部材の下端部は、前記床根太の下端部と同じ高さ又は床根太の下端部より上方に配置され、
前記天井下地部材は、前記支持部材と平行に配置され、
前記立上り部は、前記支持部材に近接する位置まで延設されていることを特徴とする上階床構造。
【請求項２】
相互に間隔を空けて複数の床根太を配設する床根太配設工程と、
前記床根太の上面に床面材を固定する床面材固定工程と、
前記床根太に対して間隔を空けて支持部材を配置する支持部材固定工程と、
前記支持部材の下面に天井下地部材を固定する天井下地部材固定工程と、
前記天井下地部材の下面に天井面材を固定する天井面材固定工程と、を含み、
前記天井下地部材は、
固定部材を介して前記支持部材に固定される第一固定板部と、
固定部材を介して前記天井面材が固定される第二固定板部と、
弾性変形可能であって、前記第一固定板部と前記第二固定板部とを連結する連結部と、
前記第二固定板部の他端側から前記支持部材側に立ち上がる立上り部を有し、
前記支持部材の下端部は、前記床根太の下端部と同じ高さ又は床根太の下端部より上方に配置され、
前記天井下地部材は、前記支持部材と平行に配置され、
前記天井下地部材固定工程では、前記床根太と前記天井下地部材との間及び前記床根太と前記天井面材との間に隙間が形成されるように、前記第一固定板部と前記支持部材とを固定し、
前記天井面材固定工程では、前記第二固定板部と前記天井面材を固定し、前記固定部材を留め付ける際の入力によって、前記立上り部を前記支持部材に当接させつつ固定することを特徴とする上階床構造の施工方法。
【請求項３】
相互に間隔を空けて配設された複数の床根太と、
前記床根太の上面に固定された床面材と、
前記床根太に対して間隔を空けて配置された支持部材と、
前記支持部材に固定された天井下地部材と、
前記天井下地部材に固定された天井面材と、を有し、
前記天井下地部材は、前記天井面材を錘として弾性変形する部材であり、
前記床根太と前記天井下地部材との間及び前記床根太と前記天井面材との間に隙間が形成されていることを特徴とする上階床構造。
【発明の詳細な説明】
【技術分野】
【０００１】  本発明は、建物における上階床構造及び上階床構造の施工方法に関する。
【背景技術】
【０００２】  枠組壁工法による住宅の上階床構造は、遮音対策の観点から以下のようなものがある。上階床根太に下階天井面材が直張りされた上階床構造Ａ（図６参照）、上階床根太から独立した天井根太に下階の天井面材が取り付けられた上階床構造Ｂ（図７参照）、上階床根太に取り付けられた制振機能を有する天井下地材に下階天井面材が取り付けられた上階床構造Ｃ（図８参照）などである。【０００３】  上階床構造Ａは、遮音対策が無いので、歩行音などの衝撃が加わると、上階の床面材１０１から床根太１０２及び密閉された空気層１０３（空気ばね）を介して直接下階の天井面材１０４に振動が伝わってしまう。【０００４】  上階床構造Ｂは、遮音対策として、下階の天井面材１１１が天井根太１１２に取り付けられており、天井根太１１２は床根太１１３から独立しているので、床根太１１３から下階の天井面材１１１への衝撃音による振動の伝搬を抑制することができるようになった。しかし、空気層１１４を通じての振動の伝搬は抑制することができない点に改善の余地があった。【０００５】  そこで、本発明者は、まず、上階床構造Ｃを発明した（特許文献１参照）。上階床構造Ｃは、遮音対策として、天井面材１２１を取り付ける天井下地部材に制振機能を有する鋼製の天井下地部材１２２を使用するものである。これにより、床面材１２６から空気層１２３を通じた下階の天井面材１２１への衝撃音による振動の伝搬を抑制することができるようになった。
【先行技術文献】
【特許文献】
【０００６】
【特許文献１】特許第５６００６４６号公報
【発明の概要】
【発明が解決しようとする課題】
【０００７】  しかしながら、特許文献１の構成では、鋼製の天井下地部材１２２を床根太１２４に直接取り付けているために、鋼製の天井下地部材１２２の制振機能による音の減衰はあるものの床根太１２４からの衝撃音による振動が下階の天井面材１２１へ伝搬するという問題があった。【０００８】  本発明は、前記した問題に鑑みて創案されたものであり、前記した上階床構造Ａ〜Ｃよりも遮音性能を高めることができる上階床構造及び上階床構造の施工方法を提供することを課題とする。
【課題を解決するための手段】
【０００９】
前記課題を解決するための請求項１に係る発明は、相互に間隔を空けて配設された複数の床根太と、前記床根太の上面に固定された床面材と、前記床根太に対して間隔を空けて配置された支持部材と、前記支持部材に固定された天井下地部材と、前記天井下地部材に固定された天井面材と、を備え、前記天井下地部材は、固定部材を介して前記支持部材に固定された第一固定板部と、固定部材を介して前記天井面材が固定された第二固定板部と、弾性変形可能であって、前記第一固定板部と前記第二固定板部とを連結する連結部と、前記第二固定板部の他端側から前記支持部材側に立ち上がる立上り部と、を有し、前記床根太と前記天井下地部材との間及び前記床根太と前記天井面材との間に隙間が形成され、前記支持部材の下端部は、前記床根太の下端部と同じ高さ又は床根太の下端部より上方に配置され、前記天井下地部材は、前記支持部材と平行に配置され、前記立上り部は、前記支持部材に近接する位置まで延設されていることを特徴とする上階床構造である。
【００１０】
請求項１に係る構成によれば、床根太と天井下地部材との間及び床根太と天井面材との間に隙間が形成されているので、床面材から床根太を介して衝撃音による振動が天井下地部材に直接伝わらない。そのため、遮音性能を高めることができる。また、空気層を通じての衝撃音による振動の伝搬も天井下地部材により抑制できる。天井下地部材が弾性変形することにより、空気層を通じた衝撃音による振動又は空気層から天井根太に伝達された衝撃音による振動を吸収することができるからである。
さらに、天井下地部材の立上り部が支持部材に近接する位置まで延設されているため、ビス等の固定部材を面材に留め付ける際の入力によって天井下地部材が弾性変形し、立上り部の先端が支持部材に当接する。これにより、第二固定板部の変位を抑制することができるため、第二固定板部の所望の位置に固定部材を留め付けることができる。従って、隣り合う天井面材間の隙間の発生を防ぐことができるので、隙間からの漏音を抑制することができる。また、天井面材の留め付け後は、弾性変形によって天井下地部材が元の状態に復元するため、立上り部と支持部材が離間する。よって、立上り部を通じて天井面材に衝撃音による振動が伝わるのを防ぐことができる。
さらに、支持部材の下端部が床根太の下端部と同じ高さ又は床根太の下端部より上方に配置されているので、床根太と天井根太とを有する上階床構造ユニットを工場等で予め構築しておいて、現場で設置できる。
【００１７】
請求項２に係る発明は、相互に間隔を空けて複数の床根太を配設する床根太配設工程と、前記床根太の上面に床面材を固定する床面材固定工程と、前記床根太に対して間隔を空けて支持部材を配置する支持部材固定工程と、前記支持部材の下面に天井下地部材を固定する天井下地部材固定工程と、前記天井下地部材の下面に天井面材を固定する天井面材固定工程と、を含み、前記天井下地部材は、固定部材を介して前記支持部材に固定される第一固定板部と、固定部材を介して前記天井面材が固定される第二固定板部と、弾性変形可能であって、前記第一固定板部と前記第二固定板部とを連結する連結部と、前記第二固定板部の他端側から前記支持部材側に立ち上がる立上り部を有し、前記支持部材の下端部は、前記床根太の下端部と同じ高さ又は床根太の下端部より上方に配置され、前記天井下地部材は、前記支持部材と平行に配置され、前記天井下地部材固定工程では、前記床根太と前記天井下地部材との間及び前記床根太と前記天井面材との間に隙間が形成されるように、前記第一固定板部と前記支持部材とを固定し、前記天井面材固定工程では、前記第二固定板部と前記天井面材を固定し、前記固定部材を留め付ける際の入力によって、前記立上り部を前記支持部材に当接させつつ固定することを特徴とする上階床構造の施工方法である。
【００１８】
請求項２に係る方法によれば、天井下地部材の立上り部が支持部材に近接する位置まで延設されているため、ビス等の固定部材を面材に留め付ける際の入力によって天井下地部材が弾性変形し、立上り部の先端が支持部材に当接する。これにより、第二固定板部の変位を抑制することができるため、第二固定板部の所望の位置に固定部材を留め付けることができる。従って、隣り合う天井面材間の隙間の発生を防ぐことができるので、隙間からの漏音を抑制することができる。また、天井面材の留め付け後は、弾性変形によって天井下地部材が元の状態に復元するため、立上り部と支持部材が離間する。よって、立上り部を通じて天井面材に衝撃音による振動が伝わるのを防ぐことができる。
さらに、支持部材の下端部が床根太の下端部と同じ高さ又は床根太の下端部より上方に配置されているので、床根太と天井根太とを有する上階床構造ユニットを工場等で予め構築しておいて、現場で設置できる。
【００１９】
請求項３に係る発明は、相互に間隔を空けて配設された複数の床根太と、前記床根太の上面に固定された床面材と、前記床根太に対して間隔を空けて配置された支持部材と、前記支持部材に固定された天井下地部材と、前記天井下地部材に固定された天井面材と、を有し、前記天井下地部材は、前記天井面材を錘として弾性変形する部材であり、前記床根太と前記天井下地部材との間及び前記床根太と前記天井面材との間に隙間が形成されていることを特徴とする。
【００２０】
請求項３に係る構成によれば、天井下地部材が天井面材を錘として弾性変形することにより、空気層を通じた衝撃音による振動又は空気層から天井根太に伝達された衝撃音による振動を吸収することができる。
【発明の効果】
【００２１】  本発明に係る上階床構造及び上階床構造の施工方法によれば、前記した上階床構造Ａ〜Ｃよりも遮音性能を高めることができる。
【図面の簡単な説明】
【００２２】
【図１】本発明の第一実施形態に係る上階床構造１を示す図であって、（ａ）は（ｂ）のＩａ−Ｉａ矢視断面図、（ｂ）は（ａ）のＩｂ−Ｉｂ矢視断面図を示す。
【図２】本発明の実施形態に係る天井下地部材を示す斜視図である。
【図３】床衝撃音（重量音）に対する床構造種類別の遮音性能を示す図である。
【図４】床衝撃音（軽量音）に対する床構造種類別の遮音性能を示す図である。
【図５】本発明の第二実施形態に係る上階床構造２を示す図であって、（ａ）は（ｂ）のＶａ−Ｖａ矢視断面図、（ｂ）は（ａ）のＶｂ−Ｖｂ矢視断面図を示す。
【図６】従来の直張り天井の上階床構造Ａを示す一部破断斜視図である。
【図７】従来の天井根太を有する上階床構造Ｂを示す断面図である。
【図８】従来の天井下地材を有する上階床構造Ｃを示す図であって、（ａ）は斜視図、（ｂ）は断面図を示す。
【発明を実施するための形態】
【００２３】  以下、本発明の実施形態について、図面を参照して詳細に説明する。図１に示すように、上階床構造１は、本実施形態では、枠組壁工法で構築された木造２階建ての住宅の２階の床に用いる場合を例示する。なお、説明における上下左右前後は図１、図２および図５の矢印に従う。
【００２４】（第一実施形態）
図１に示すように、上階床構造１は、複数の床根太３と、床面材４と、床根太３に平行に配置された天井根太５と、複数の天井根太５（支持部材）の下に天井下地部材６を介して固定された天井面材７とで主に構成されている。
【００２５】  床根太３は、片側のみ図示する一対の壁組２０に架設される木製の部材である。床根太３は、一定の間隔を空けて相互に平行となるように複数本配設されている。床根太３の両端部は端根太８に接合されている。端根太８は、壁組２０の上に載置されている。床根太３の断面形状は、本実施形態では矩形としているが、他の形状であってもよい。
【００２６】  床面材４は、２階の床を構成する面材である。床面材４は、本実施形態では合板を用いている。床面材４は、床根太３の上面３ａに例えば釘等の固定部材で固定されている。
【００２７】  天井根太５は、床根太３に平行し、天井根太５の下端部５ａが床根太３の下端部３ｂよりも下側になるように配置されている。天井根太５の両端部は端根太転び止１５と壁組２０に跨って取り付けられている。天井根太５は、本実施形態では木製の部材であり、その断面は矩形であるが、他の材質や他の形状であってもよい。
【００２８】  天井下地部材６は、天井面材７を支持する、弾性変形可能な鋼製部材であり、例えば、プレス成型によって金属板を所定形状に折り曲げて構成されている。天井下地部材６は、床根太３及び天井根太５に対して交差する方向に延設されているとともに、複数の天井根太５の下端部５ａに亘って固定されている。天井下地部材６は、図２に示すように、第一固定板部１１と、第二固定板部１２と、連結部１３と、立上り部１４とを備えている。
【００２９】  天井面材７は、１階の天井を構成する面材である。天井面材７は、本実施形態では石膏ボードを用いている。天井面材７は、天井根太５に天井下地部材６を介して固定されている。天井面材７は、本実施形態では２枚設けているが、何枚設けてもよい。
【００３０】  天井下地部材６について詳細に説明する。図２に示すように、第一固定板部１１は、板状を呈し一定の幅で左右方向に水平に延設されている。第一固定板部１１は、天井根太５の下端部５ａに固定される部位である。第一固定板部１１には、等間隔で複数のネジ孔１１ａが形成されている。なお、第一固定板部１１にリブを設けたり、端部を折り返したりして剛性を高めてもよい。
【００３１】  第二固定板部１２は、板状を呈し一定の幅で第一固定板部１１と同等の長さで延設されている。また、第二固定板部１２は、第一固定板部１１と略平行になっている。第二固定板部１２は、天井面材７を固定する部位である。第二固定板部１２の下面は本実施形態では平坦になっているが、例えば、第二固定板部１２の下面に下方に突出する小さな凸を設けて天井面材７に対する滑り止め部を形成してもよい。また、第二固定板部１２の前後方向又は左右方向に沿ってリブを設けて剛性を高めてもよい。
【００３２】  連結部１３は、板状を呈し、一定の幅で第一固定板部１１と同等の長さで延設されている。また、連結部１３は、下に向かうほど第一固定板部１１から離間するように傾斜し、第一固定板部１１の後端部と第二固定板部１２の前端部とを連結している。連結部１３は、弾性変形することにより天井根太５の振動を吸収する部位である。
【００３３】  連結部１３には、等間隔で複数の長孔１３ａが形成されている。長孔１３ａの大きさによって連結部１３の開口率を変えることができ、連結部１３の変形のしやすさを調整することができる。長孔１３ａは、本実施形態では、連結部１３の上部に設けられているが、他の高さ位置に形成されていてもよい。連結部１３が弾性変形するのであれば、長孔１３ａは設けなくてもよい。また、連結部１３は、弾性変形可能であれば第一固定板部１１及び第二固定板部１２に対して垂直になっていてもよい。
【００３４】  立上り部１４は、第二固定板部１２の後端部から立ち上がっている。また、立上り部１４は、一定の高さで、かつ、第二固定板部１２と同等の長さで左右方向に延設されている。立上り部１４は、第一固定板部１１の上面に接する仮想水平線に近接する位置まで延設されている。立上り部１４は、天井下地部材６に天井面材７を留め付ける際に、第二固定板部１２の跳ね上がりを小さくするためのつっかいとして機能する部位である。
【００３５】  また、立上り部１４は、本実施形態では第一固定板部１１から離間する方向に若干傾斜して立ち上がっている。立上り部１４をこのように傾斜させることで、保管時に複数の天井下地部材６を上下方向に積み重ねることができ、積み重ねた天井下地部材６の全体の高さを小さくすることができる。
【００３６】  また、立上り部１４には、基端から先端まで立ち上り方向に沿って切り欠かれた複数のスリット１４ａが形成されている。スリット１４ａは、左右方向の隙間が２ｍｍ程度になっている。隣り合うスリット１４ａは、例えば２５０ｍｍ間隔になっている。スリット１４ａの隙間寸法や間隔は適宜設定すればよい。また、スリット１４ａは、立上り部１４、第二固定板部１２及び連結部１３に連続して設けられていてもよい。
【００３７】  なお、立上り部１４は、第一固定板部１１に対して垂直に立ち上がっていてもよい。天井下地部材６は、本実施形態では、一定の板厚の鋼板を曲げ加工や穴あけ加工して形成されているが、他の製造方法で形成してもよい。
【００３８】  次に、本実施形態に係る上階床構造１の施工方法について説明する。本実施形態に係る上階床構造の施工方法では、床根太配設工程と、床面材固定工程と、支持部材固定工程と、天井下地部材固定工程と、天井面材固定工程とを行う。
【００３９】  床根太配設工程では、図１の（ａ）及び（ｂ）に示すように、端根太８に床根太３の端部を配置しつつ、互いに平行となるように一定の間隔を空けて複数本配設する。
【００４０】  床面材固定工程では、図１の（ａ）及び（ｂ）に示すように、床根太３の上面３ａに床面材４を釘等の固定部材を用いて固定する。
【００４１】  支持部材固定工程では、図１の（ａ）及び（ｂ）に示すように、床根太３に対して間隔を空けて、天井根太５を端根太転び止１５および壁組２０に天井根太５の端部を配置しつつ、互いに平行となるように一定の間隔を空けて複数本配設する。天井根太５の下端部５ａは、床根太３の下端部３ｂよりも下方に配置されている。
【００４２】  天井下地部材固定工程では、図１の（ａ）及び（ｂ）に示すように、天井根太５，５，…の下端部５ａ，５ａ，…に亘って天井下地部材６を取り付ける。具体的には図１の（ａ）及び図２に示すように、天井下地部材６の第一固定板部１１のネジ孔１１ａと天井根太５，５，…の下端部５ａ，５ａ，…とが対応する位置にビス等の固定部材を打ち込み、天井根太５に対して第一固定部材１１を天井根太５と交差する方向に固定する。固定部材を留め付ける留付機具は特に制限されないが、ここではエアーコンプレッサーに接続され圧縮空気を動力源とするインパクトドライバーを用いる。
【００４３】  第一固定板部１１のみを天井根太５に固定したとき、天井根太５の下端部５ａから立上り部１４の先端までは隙間が形成されている。この隙間は、適宜設定すればよいが、例えば２〜４ｍｍ、より好ましくは３ｍｍである。
【００４４】  天井面材固定工程では、天井下地部材６に天井面材７，７を固定する。天井面材７の下面側から第二固定板部１２に対応する位置にビス等の固定部材を打ち込み、第二固定板部１２に対して天井面材７，７を固定する。このとき、主に連結部１３が弾性変形して、立上り部１４の先端が天井根太５，５，…の下端部５ａ，５ａ，…に当接するので、位置ずれが防止できる。天井面材７，７が固定された後は、図１の（ａ）に示すように、天井面材７と床根太３との間に隙間Ｓ１が形成されるようにする。また、天井根太５の下端部５ａと立上り部１４の先端との間に隙間Ｓ２が形成されるようにする。以上の工程を行うことにより、上階床構造１が構築される。
【００４５】（実験の結果）
図３及び図４に、床構造種類別の遮音性能を実測したデータを示す。
床根太３の寸法、床面材４の厚さ、天井根太５の寸法、天井下地部材６の寸法、天井面材７の厚さについては、上階床構造Ａ〜Ｃ及び本発明に係る床構造は同じ条件である。
重量床衝撃音および軽量床衝撃音のいずれの場合でも、本発明に係る上階床構造の衝撃音レベルは、上階床構造Ａ〜Ｃのいずれの衝撃音レベルをも下回っている。
一般に、３デシベル低下すると、エネルギー量は約２分の１になり、６デシベルの低下では、４分の１程度のエネルギー量になる。
通常、重量床衝撃音と軽量床衝撃音との対策は別々に取る必要があるが、本発明は重量床衝撃音と軽量床衝撃音との両方の対策になっている点においても優れている。
【００４６】（第二実施形態）
図５の（ａ）及び（ｂ）に示すように、第二実施形態に係る上階床構造２は、天井根太５の下端部５ａが床根太３の下端部３ｂと同じ高さに配置されている点、及び、天井下地部材６が床根太３、天井根太５と平行に配置されている点が主に異なっている。以下、相違点を中心に説明する。
【００４７】  床根太３、床面材４、天井面材７、第一固定板部１１、第二固定板部１２、連結部１３および立上り部１４の構成については、第一実施形態と同じである。
【００４８】  天井根太５は、床根太３に平行に配置されている。天井根太５の下端部５ａは、床根太３の下端部３ｂと同じ高さに配置されている。床根太３，３，…の両端部は端根太８に接合され、天井根太５，５，…の両端部は端根太転び止１５に接合されている。そのため、天井根太５と壁組２０が干渉しないので、上階床構造２（床根太３、床面材４、天井根太５、端根太８、端根太転び止９、側根太及び添え側根太１０の範囲で）は、工場等で予め構築してプレキャスト化したものを現場で設置することが、第一実施形態と比べると大幅に容易になる。天井根太５は、本実施形態では木製の部材であり、その断面は矩形であるが、他の材質や他の形状であってもよい。また、天井根太５の下端部５ａは、隙間Ｓ１とＳ２が確保できる限りにおいて、床根太３の下端部３ｂよりも上方に配置することも可能である。
【００４９】  天井下地部材６は、天井根太５に平行する方向に延設されているとともに、天井根太５の下端部５ａに固定されている。天井下地部材６は、図２に示すように、第一固定板部１１と、第二固定板部１２と、連結部１３と、立上り部１４とを備えている。立上り部１４は、天井下地部材６が取り付けられた天井根太５の下端部５ａに当接できる位置に配置されている。立上り部１４が天井根太５の下端部５ａに当接しやすくするために、天井根太５は、床根太３よりも幅広の部材を使用する（図５の（ａ）参照）。
【００５０】  次に、本実施形態に係る上階床構造の施工方法について説明する。本実施形態に係る上階床構造の施工方法では、前記の施工方法同様に床根太配設工程と、床面材固定工程と、支持部材固定工程と、天井下地部材固定工程と、天井面材固定工程とを行う。
【００５１】  床根太配設工程、床面材固定工程については、第一実施形態での作業と同じであるので説明は省略する。
【００５２】  支持部材固定工程では、図５の（ａ）及び（ｂ）に示すように、床根太３に対して間隔を空けて、端根太転び止１５に天井根太５の端部を配置しつつ、互いに平行となるように一定の間隔を空けて天井根太５を複数本配設する。天井根太５の下端部５ａは、床根太３の下端部３ｂと同じ高さに配置されている。なお、天井根太５の下端部５ａは、隙間Ｓ１およびＳ２が確保できる限りにおいては、床根太３の下端部３ｂよりも上方に配置することも可能である。
【００５３】  天井下地部材固定工程では、図５の（ａ）に示すように、天井根太５の下端部５ａに天井下地部材６を取り付ける。具体的には図５の（ａ）及び図２に示すように、天井下地部材６の第一固定板部１１のネジ孔１１ａと天井根太５の下端部５ａとが対応する位置にビス等の固定部材を打ち込み、天井根太５に対して第一固定部材１１を天井根太５と平行に固定する。
【００５４】  天井面材固定工程では、基本的に第一実施形態の作業と同じであるが、立上り部１４の先端は、天井面材７を固定する時には、弾性変形によって天井下地部材６を取り付けた天井根太５の下端部５ａのみに当接する点が異なる。
【００５５】  以上説明した上階床構造１及び上階床構造２によれば、上階床構造Ａ〜Ｃに比べて遮音性能を高めることができる。
【００５６】  なお、前記した工程の順番は例示であるので、各工程が前後してもよい。また、上階床構造２は、現場で構築してもよいが、工場等で予め構築してプレキャスト化したものを現場で設置してもよい。これにより、品質の向上を図ることができるとともに、現場での作業を省力化することができる。
【００５７】  なお、天井下地部材６が弾性変形することにより、空気層を通じた振動又は空気層から天井根太５に伝達された振動を吸収することができる。仮に、床根太３と天井面材７とが接触していると、床根太３を介して１階に振動が伝達する可能性があるが、床根太３と天井面材７とは隙間Ｓ１をあけて配設されているため、床根太３によって遮音性能を損なうことがない。また、天井根太５の下端部５ａと立上り部１４との先端の間にも隙間Ｓ２が確保されるため、連結部１３の弾性変形を許容することができる。
【００５８】  なお、天井下地部材６に立上り部１４が形成されていないと、第二固定板部１２に天井面材７を固定する作業が困難になる。つまり、立上り部１４が形成されていないと、ビス等の固定部材を打ち込む際に、第二固定板部１２が上方に跳ね上がってしまい、所望の位置とはズレた位置に天井面材７が固定されてしまう場合がある。このため、隣り合う天井面材７，７の間に隙間が生じてしまい、この隙間を通じて上階から漏音する。
しかし、本実施形態のように天井下地部材６に立上り部１４が形成されていると、ビス等の固定部材を打ち込んでいる間は、インパクトドライバーの衝撃によって、天井面材７及び第二固定板部１２が上向きの力を受ける。これにより、天井下地部材６が弾性変形し、立上り部１４の先端が天井根太５の下端部５ａに当接する。よって、第二固定板部１２の変位を小さくすることができるため、所望の位置に固定部材を打ち込むことができる。その結果、隣り合う天井面材７，７の間に隙間が生じるのを防ぐことができ、隙間からの上階の漏音を抑制することができる。また、天井面材７の留め付け後は、弾性変形によって天井下地部材６が元の状態に復元するため、立上り部１４と天井根太５が離間する。よって、立上り部１４を通じて天井面材７に衝撃音による振動が伝わるのを防ぐことができる。
【００５９】  また、立上り部１４にスリット１４ａを設けることによって、天井下地部材６のねじり剛性が低下するため、天井下地部材６が撓みやすくなる。これにより、天井下地部材６が弾性変形しやすくなるため、より振動を吸収することで振動の伝達を低減することができる。
【００６０】  以上、本発明の実施形態について説明したが、本発明の趣旨に反しない範囲において適宜設計変更が可能である。例えば、天井下地部材６の立上り部１４は必要に応じて適宜形成すればよい。
また、本発明に係る上階床構造は、２階の床だけでなく、３階の床にも用いることができる。
【００６１】  また、天井下地部材６の構造は、天井面材７を錘として弾性変形可能であれば、特に限定されるものではない。例えば、天井根太５と天井面材７をばね部材（不図示）で連結してもよい。
【符号の説明】
【００６２】  １      上階床構造
２      上階床構造
３      床根太
４      床面材
５      天井根太
６      天井下地部材
７      天井面材
８      端根太
９      側根太
１０    添え側根太
１１    第一固定板部
１２    第二固定板部
１３    連結部
１４    立上り部
１５    端根太転び止
２０    壁組
Ｓ１    隙間
Ｓ２    隙間
【図１】
0006445941.tif 000002
【図２】
0006445941.tif 000003
【図３】
0006445941.tif 000004
【図４】
0006445941.tif 000005
【図５】
0006445941.tif 000006
【図６】
0006445941.tif 000007
【図７】
0006445941.tif 000008
【図８】
0006445941.tif 000009